(57)【特許請求の範囲】
【請求項１】
定着ヒータの温度を検出する温度検出手段と、該温度検出手段により前記定着ヒータの温度が異常値を超過したことを検出した場合、当該定着ヒータに対する通電を停止する第１電源制御手段と、前記温度検出手段とは別系統により前記定着ヒータの温度過昇を検出する温度過昇検出手段と、該温度過昇検出手段の出力値に応じて前記定着ヒータへの通電を強制的に停止する第２電源制御手段と、該第２電源制御手段により定着ヒータへの通電が強制的に停止された後、前記温度過昇検出手段により過昇検出が検出されない状態となった場合でも、前記定着ヒータへの通電強制停止状態を保持する強制停止状態保持手段と、を備え、
前記強制停止状態保持手段による前記定着ヒータへの通電強制停止状態の解除は、前記温度過昇検出手段による温度過昇検出を特定の繰り返しパルスの変化点を検出することにより行うことを特徴とする画像形成装置。
【請求項２】
前記特定の繰り返しパルスに、前記定着ヒータの電源であるＡＣ電源のゼロクロス信号を使用したことを特徴とする請求項１に記載の画像形成装置。
【請求項３】
前記特定の繰り返しパルスに、前記定着ヒータをオンするためのトリガ信号を使用したことを特徴とする請求項１に記載の画像形成装置。
【発明の詳細な説明】
【０００１】
【発明の属する技術分野】
本発明は画像形成装置の改良に関し、特に、電子複写機、普通紙ファクシミリ、あるいはレーザープリンタなどの定着ヒータを有する画像形成装置であって、定着工程に用いられる定着ヒータの温度制御を行う画像形成装置に関する。
【０００２】
【従来の技術】
従来より、画像形成装置としては、例えば電子写真技術を用いた電子複写機、普通紙ファクシミリ、あるいはレーザープリンタなどがあり、これらの画像形成装置に於ては、感光体ドラムの表面に潜像を形成し、それにトナーを付着させて用紙に転写することにより画像を形成していた。用紙に転写されたトナーは、そのままでは用紙に定着していないため、定着ヒータを備えた定着ローラで熱処理することで定着させていた。この定着ヒータは、トナーを用紙に定着させるのに適した一定の温度範囲内に制御する必要があった。
この種の画像形成装置における定着ヒータの温度制御には、例えば、上記定着制御を司る制御部（以下、ＣＰＵともいう）があり、これとは別のＣＰＵを用いて定着温度を監視し、異常があった場合は前記定着ヒータ制御用のＣＰＵをリセットしていた。
また、定着ヒータの定着温度をコンパレータ等を用いて監視し、そのコンパレータの出力を用いて定着ヒータのオン信号をゲートで制御するものがあった。
【０００３】
【発明が解決しようとする課題】
しかしながら、このような従来の画像形成装置にあっては、上記のように、定着ヒータ制御用のＣＰＵとは別に、定着温度の異常を監視するＣＰＵを設けるようにすると、監視用のＣＰＵを増設しなくてはならないため、その分コストが上昇するという不都合があった。
また、上記のように、定着ヒータの定着温度をコンパレータ等で監視し、そのコンパレータの出力を用いて定着ヒータのＯＮ信号をゲートで制御する場合には、定着温度が異常になると定着ヒータがオフされるが、メモリ機能を有していないため、その後、定着ヒータの温度が異常検出温度よりも下がると、ゲートがＯＮされてしまうため、定着ヒータが再度オンされるという不都合があった。特に、復帰できない異常が発生した時には、定着ヒータのＯＮ／ＯＦＦが繰り返されるという不都合があった。
本発明は、かかる従来技術の有する不都合に鑑みてなされたもので、請求項１に記載の発明の目的は、定着ヒータの温度監視を安価でより確実に行うことにより、定着ヒータの加熱による異常発生を未然に防ぐことができる画像形成装置を提供することにある。
請求項２および請求項３に記載の発明の目的は、上記目的に加えて、定着ヒータの温度が異常になった際に定着ヒータがＯＮ／ＯＦＦされるのを防止するとともに、ポートや専用回路を増設することなく、外来ノイズ等があっても温度監視回路を誤動作させないようにすることができる画像形成装置を提供することにある。
【０００４】
【課題を解決するための手段】
請求項１に記載の発明は、定着ヒータの温度を検出する温度検出手段と、該温度検出手段により前記定着ヒータの温度が異常値を超過したことを検出した場合、当該定着ヒータに対する通電を停止する第１電源制御手段と、前記温度検出手段とは別系統により前記定着ヒータの温度過昇を検出する温度過昇検出手段と、該温度過昇検出手段の出力値に応じて前記定着ヒータへの通電を強制的に停止する第２電源制御手段と、該第２電源制御手段により定着ヒータへの通電が強制的に停止された後、前記温度過昇検出手段により過昇検出が検出されない状態となった場合でも、前記定着ヒータへの通電強制停止状態を保持する強制停止状態保持手段と、を備え、前記強制停止状態保持手段による前記定着ヒータへの通電強制停止状態の解除は、前記温度過昇検出手段による温度過昇検出を特定の繰り返しパルスの変化点を検出することにより行うことを特徴とする。
この発明によれば、定着ヒータの通電制御とパワー系の電源制御とを同一の制御部で制御するようにしたため、装置を安価にすることができるとともに、温度検出手段とこれとは別系統の温度過昇検出手段とにより定着ヒータの定着温度の監視を二重に監視することにより、一方に異常が発生しても他方で定着ヒータの温度を監視して異常発生を未然に防止することができる。また、温度過昇検出手段を特定の繰り返しパルスの変化でのみ有効としたため、誤動作を防止することができる。
請求項２に記載の発明は、前記特定の繰り返しパルスに、定着ヒータの電源であるＡＣ電源のゼロクロス信号を使用したものである。この発明によれば、温度過昇検出手段を有効とする繰り返しパルスに、ＡＣ電源のゼロクロス信号を使用したため、新たなポートや専用回路を増設することなく誤動作の発生を防止することができる。
請求項３に記載の発明は、前記特定の繰り返しパルスに、定着ヒータをオンするためのトリガ信号を使用したものである。この発明によれば、温度過昇検出手段を有効とする繰り返しパルスに、定着ヒータをオンするためのトリガ信号を使用したため、新たなポートや専用回路を増設することなく誤動作の発生を防止することができる。
【０００５】
【発明の実施の形態】
以下、本発明の実施の形態を図面に基づいて説明する。
図１には、本実施の形態に係る画像形成装置の全体構成を示す装置断面図が示され、図２には、その画像形成装置の制御系全体のブロック図が示され、図３には、図２の制御系の中のメイン制御板のブロック図が示され、図４には、定着ヒータの定着温度制御を行うメイン制御板とＩ／Ｏ制御板と定着ユニットの回路図が示され、図５には、定着ヒータの温度異常監視回路の一例を示す回路図が示されている。本実施の形態では、画像形成装置としてデジタル複写機を用いて実施したものである。
ここでは、まず、デジタル複写機の全体構成を説明した後、本発明の特徴的な定着ヒータの温度制御を行う定着ユニットについて説明する。
図１に示されるデジタル複写機は、大きく分けると、複写機本体（Ｉ）と、自動原稿送り装置〔ＡＤＦ〕（ＩＩ）と、ステープラ付きのソーターであるソータステープラ（ＩＩＩ）と、両面反転ユニット（ＩＶ）との４つのユニットから構成され、前記複写機本体は（Ｉ）は、スキャナ部、書き込み部、感光体部、現像部ならびに給紙部等から構成されている。
【０００６】
（スキャナ部）
前記スキャナ部は、反射鏡１と光源３と第１ミラー２とを備えて一定の速度で移動する第一スキャナと、第２ミラー４、第３ミラー５を装備して前記第一スキャナの１／２の速度で前記第一スキャナに追従して移動する第二スキャナとを備えている。そして、前記第一スキャナ並びに第二スキャナによりコンタクトガラス９上の不図示の原稿を光学的に走査し、その反射像を色フィルタ６を介してレンズ７に導き、一次元個体撮像素子８上に結像させる。
前記光源３には蛍光灯やハロゲンランプなどが使用されているが、これらの内、波長が安定していて寿命が長いなどの理由から一般には蛍光灯が使用されている。本実施の形態では、１本の光源３に反射鏡が取り付けられ、また、前記個体撮像素子８が一定のサンプリングクロックを持っているため、蛍光灯はそれ以上高い周波数で点灯させることで画像に影響を与えないようにしている。
前記個体撮像素子８としては、一般的にＣＣＤが用いられており、その個体撮像素子８で読み取った画像信号はアナログ値であるため、アナログ／デジタル（Ａ／Ｄ）変換され、画像処理基板１０にて種々の画像処理、例えば、２値化、多値化、階調処理、変倍処理、編集処理等が施され、スポットの集合としてデジタル信号に変えられる。
ここでは、カラーの画像情報を得るために、本実施の形態では、原稿から個体撮像素子８に導かれる光路途中に、必要色の情報だけを透過する色フィルタ６が出し入れ可能に配置されている。したがって、原稿の走査に合わせて色フィルタ６の出し入れを行い、その都度、多重転写、両面コピー等の機能を作動させ、多種多様なコピーが作成できるようになっている。また、ＲＧＢの３つの情報を同時に得るために、３つのＣＣＤ等を用いて、カラー原稿の読み取りを行うようにしてもよい。
【０００７】
（書き込み部）
つぎに、書き込み部について説明する。画像処理後の画像情報は、光書き込み部においてレーザ光のラスター走査にて光の点の集合の形で感光体ドラム４０上に書き込まれる。
不図示の半導体レーザから出射されたレーザ光は、不図示のコリメートレンズとアパーチャーにより平行で一定形状の光束に成形された後、シリンダレンズを透過させて副走査方向に圧縮された形でポリゴンミラー２４に入射される。ポリゴンミラー２４は、正確な多角形をしており、ポリゴンモータ２５により一定方向に一定の速度で回転しており、この回転速度は感光体ドラム４０の回転速度と書き込み密度とポリゴンミラー２４の面数により決定される。
ポリゴンミラー２４に入射されたレーザ光は、その反射光がポリゴンミラー２４の回転により偏向され、偏向されたレーザ光は、ｆθレンズ２６を介してミラー２７で反射され、後述する感光体ドラム４０の周面に投射される。
【０００８】
（感光体部）
つぎに、感光体部について説明する。
感光体ドラム４０の周面には感光層が形成されており、半導体レーザ（ここでは波長７８０ｎｍ）に対して感度のある感光体層としては、有機感光体（ＯＰＣ）、α−Ｓｉ、Ｓｅ−Ｔｅなどが知られており、ここでは有機感光体（ＯＰＣ）が使用されている。  一般にレーザ書き込みの場合、画像部に光を当てるネガ／ポジ（Ｎ／Ｐ）プロセスと、地肌部に光を当てるポジ／ポジ（Ｐ／Ｐ）プロセスの２通りがあり、ここでは前者のＮ／Ｐプロセスを採用している。帯電チャージ４１は感光体側にグリッドを有するスコロトロン方式のもので、感光体ドラム４０の表面を均一に（−）帯電させ、画像形成部にレーザ光を照射することで、その部分の電位を落とすようにする。これにより、感光体ドラム４０の表面の地肌部が−７５０Ｖ〜−８００Ｖ、画像部が−５００Ｖ程度の電位となり、感光体ドラム４０の表面に静電潜像が形成され、これを現像器４２ａ、４２ｂで現像ローラに−５００Ｖ〜−６００Ｖのバイアス電圧を与えて、（−）に帯電したトナーを付着させることにより、前記静電潜像が顕像化される。
【０００９】
（現像部）
つぎに、現像部について説明する。
本実施の形態に係るデジタル複写機は、主現像器４２ａと副現像器４２ｂの２つの現像器を備えている。黒一色の場合は、前記副現像器４２ｂとトナー補給器４３ｂを取り外すようになっており、現像器を２つ有する本実施の形態では、主現像器４２ａとペアになっているトナー補給器４３ａに黒トナーを入れ、副現像器４２ｂとペアになるトナー補給器４３ｂにカラートナーを入れることにより、１色の現像中には他色の現像器の主極位置を変えるなどして選択的に現像を行うようにする。
この現像を行い、スキャナの色フィルタ６の切り替えによる色情報の読み取り、更に紙搬送系の多重転写、両面複写機能等を組み合わせることによって、多機能なカラーコピー、カラー編集が可能となる。３色以上の現像は、感光体ドラム４０の周囲に３つ以上の現像器を並べる方法、３つ以上の現像器を回転して切り替えるリボルバー方式等によって達成することができる。
【００１０】
現像器４２ａ、４２ｂで顕像化された画像は、感光体ドラム４０にシンクロして送られた紙面上に紙の裏面から転写チャージャ４４により（＋）のチャージをかけられて転写される。転写された紙は、転写チャージャ４４と一体に保持された分離チャージャ４５にて交流除電され、感光体ドラム４０から分離される。
【００１１】
一方、紙に転写されずに感光体ドラム４０に残ったトナーは、クリーニングブレード４７により感光体ドラム４０から掻き落とされ、付属のタンク４８に回収され、更に感光体ドラム４０に残っている電位のパターンは、除電ランプ４９より光を照射して消去される。
現像がなされた直後の位置にフォトセンサ５０が設けられており、このフォトセンサ５０は、発光素子と受光素子のペアから成り、感光体ドラム４０表面の反射濃度を検出している。これは光書き込み部で一定のパターン（例えば、真っ黒または網点のパターン）をフォトセンサ読み取り位置に対応した位置に書き込み、これを現像した後のパターン部の反射率とパターン部以外の感光体ドラム４０の反射率の比から画像濃度を判断し、薄い場合はトナー補給信号を出し、また補給後も濃度が上がらないことを利用してトナー残量不足を検知することもできる。
【００１２】
（給紙部）
つぎに、給紙部について説明する。
本実施の形態では複数のカセット６０ａ、６０ｂ、６０ｃを備え、一度転写した紙を再給紙ループ７２に通し、両面コピーまたは再給紙が可能となっている。
複数のカセット６０ａ、６０ｂ、６０ｃのうちから１つのカセット６０が選択された後、スタートボタンが押されると、その選択されたカセット６０の近傍にある給紙コロ６１（６１ａ、６１ｂ、６１ｃ）が回転し、紙の先端がレジストローラ６２に突き当たるまで給紙される。レジストローラ６２は、この時止まっているが、感光体ドラム４０に形成された画像位置とタイミングをとって回転を開始し、感光体ドラム４０の周面に対して紙を送る。その後、紙は転写部でトナー像の転写が行われ、分離搬送部６３にて吸引搬送されて、ヒートローラ６４と加圧ローラ６５の対からなる定着ローラ（６４，６５）によって、転写されたトナー像を紙面上に定着させるようにする。本実施の形態の特徴は、後述するように、この定着ローラの定着温度制御を行うものである。
このようにして転写された紙は、通常のコピー時であれば切換爪６７によりソータ（ＩＩＩ）側の排紙口へ導かれ、一方、多重コピー時は切換爪６８、６９により方向を変えられ、ソータ（ＩＩＩ）側に排出されることなく下側の再給紙ループ７２を透過して、再度レジストローラ６２へ導かれる。
両面コピーの場合は、複写機本体（Ｉ）のみで行う場合と、両面反転ユニット（ＩＶ）を使用する場合の２通りが有り、ここでは前者の場合について説明する。
切換爪６７で下方に導かれた紙は、更に切換爪６８で下方に導かれ、つぎの切換爪６９で再給紙ループ７２より更に下のトレー７０へ導かれる。そして、ローラ７１の反転により逆方向に再度送られ、切換爪６９の切換により再給紙ループ７２へ導かれて、レジストローラ６２に給送される。
【００１３】
（原稿自動送り装置）
つぎに、原稿自動送り装置〔ＡＤＦ〕（ＩＩ）について説明する。
このＡＤＦは、原稿を１枚ずつコンタクトガラス９上へ導き、コピー後に排出する動作を自動的に行うものである。原稿給紙台１００に載置された原稿は、サイドガイド１０１によって原稿の幅方向が揃えられる。載置された原稿は、給紙コロ１０４で１枚ずつ分離して給紙され、搬送ベルト１０２の回転でコンタクトガラス９上の所定位置まで運ばれ、位置決めされる。
所定枚数のコピーが終了すると、原稿は再度搬送ベルト１０２の回転により排紙トレー１０３へ排紙される。なお、前記サイドガイド１０１の位置と原稿の送り時間とをカウントすることにより、原稿サイズの検知を行うことができる。
（ソータ）
つぎに、ソータ（ＩＩＩ）について説明する。
ソータは、複写機本体（Ｉ）から排紙されたコピー紙を、例えば、ページ順、ページ毎、あるいは予め設定されたビン１１１ａ〜１１１ｘに選択的に給紙する装置である。モータ１１０により回転する複数のローラにより送られるコピー紙が各ビン１１１の入口付近にある爪の切換により、選択されたビン１１１へ導かれる。
【００１４】
（両面反転ユニット）
つぎに、両面反転ユニット（ＩＶ）について説明する。
複写機本体（Ｉ）は、１枚毎の両面コピーしかできないが、この両面反転ユニット（ＩＶ）を付設することにより、まとめて両面コピーをすることが可能である。複数枚まとめて両面コピーをとるとき、排紙コロ６６によって下方に導かれた紙は、次の切換爪６７で両面反転ユニット（ＩＶ）へ送られる。両面反転ユニット（ＩＶ）に入った紙は、排紙ローラ１２０でトレー１２３上に集積され、その際送りローラ１２１、側面揃えガイド１２２によりコピー紙の縦横が揃えられる。トレー１２３上に集積されたコピー紙は、再給紙コロ１２４により裏面コピー時に再給紙される。この時、切換爪６９により直接再給紙ループ７２は導かれる。
なお、図１において、２８は防塵ガラス、３１はレンズ保持ユニット、４６は分離爪、８０はメインモータである。
【００１５】
（電装制御部）
つぎに、上述したデジタル複写機の電装制御部としての制御ユニットを図２を用いて説明する。
図２に示されるように、デジタル複写機の制御ユニットは、１つのＭＰＵ２００と１つのＣＰＵ２０１を有しており、ＭＰＵ２００は、作像シーケンスとシステム関係の制御、ＣＰＵ２０１は、スキャナ関係の制御をそれぞれ行っている。そしてＭＰＵ２００とＣＰＵ２０１とは、スキャナＩ／Ｆ２３０を介して画像データおよびシリアルインターフェース（ＲＳ２３２Ｃ）によって接続されている。
また、図２において、制御ユニットは、ＭＰＵ２００とＨＤＤ（ハード・ディスク・ドライブ）との間でメモリ制御を行うメモリ制御板２０２、装置の操作を行う操作部ユニット２０３、各部との間でデータの入出力制御を行うＩ／Ｏ制御板２０４、上記ＣＰＵ２０１が内蔵されスキャナの制御を行うスキャナ制御板２０５、上記ＭＰＵ２００が内蔵されたメイン制御板２０６、同期制御を行うＬＤ制御板２０７、給紙制御を行う給紙制御板２０８、ＣＣＤが搭載されて読み取り制御を行う読取制御板２０９、およびマザーボード２１０である。また、複合機能を実現するためのアプリケーション拡張ユニットとしては、ＦＡＸ機能を搭載したＦＣＵ２１１、プリンタアプリケーションボード２１２、スキャナアプリケーションボード２１３、および外部拡張Ｉ／Ｆボード２１４を備えている。さらに、周辺機器としては、両面ドライブ板２１５、給紙バンク２１６、ＬＣＴ２１７、ソータ／ステープラ２１８などを備えている。
【００１６】
つぎに、上述した図２中のメイン制御板２０６の概略構成を図３を用いて説明する。
図３に示されるように、メイン制御板２０６は、装置全体の制御を司るＭＰＵ２００、ＵＡＲＴや周辺デバイスとのＩ／Ｆ機能を持ったＭＰＵ周辺ＬＳＩ２２１、画像処理と画像データのフロー制御を行う画像処理ＬＳＩ２２２、後述する画像メモリ２２８への画像データの圧縮書き込みや伸張読み出し、およびその他の画像メモリの各種操作を行うメモリ制御ＬＳＩ２２３、画像メモリ（ＤＲＡＭ）２２８、画像メモリ（ＳＩＭＭ）２２９、ＭＰＵ２００のプログラム／データ領域としてのＦＬＡＳＨ−ＲＯＭ２２４，２０５、ＭＰＵ２００のワーク領域であるＤＲＡＭ２２６、複写機の調整データや動作モードを記録しておく不揮発メモリであるｎｖＲＡＭ２２７などを備えている。
また、メイン制御板２０６には、図３に示されるように、複数のコネクタが実装されている。例えば、スキャナ制御板２０５との間のＩ／ＦであるＣＮ３０２、ＬＤ制御板２０７とのＩ／ＦであるＣＮ３０３、アプリケーション用拡張ボードを接続するためのマザーボード２１０とのＩ／ＦであるＣＮ３０４，ＣＮ３０５、ＩＯ制御板２０４とのＩ／ＦであるＣＮ３０７、ＩＣカード用コネクタであるＣＮ３０８、ポリゴンモータ駆動用のＩ／ＦであるＣＮ３１０、メモリ制御の画像メモリ拡張用ソケットであるＣＮ３１１、メモリ応用のオプションボードＩ／ＦとしてのＣＮ３１３などを備えている。
【００１７】
そして、図３に示されるメイン制御板２０６とスキャナ制御板２０５との間は、スキャナＩ／Ｆボード２３０を介して接続されており、ＭＰＵ周辺ＬＳＩ２２１のＸＳＷＰＳＷ入力は、通常、ＧＮＤレベルにプルダウンされており、スキャナＩ／Ｆボード２３０が接続されていると、Ｈレベルとなり、接続されていない状態ではＬレベルとなる構成となっている。
ここで、コネクタＣＮ３０８にＩＣメモリカードが接続されると、ＩＣメモリカードの内容がボード上のＦＬＡＳＨ−ＲＯＭ２２４，２２５へ書き込まれ、あるいは、ＦＬＡＳＨ−ＲＯＭ２２４，２２５の内容がＩＣメモリカードへ書き込み可能な構成となっている。
つぎに、本発明に係る定着ヒータの定着温度制御および温度異常の二重監視を行う回路についての構成およびその動作について図４および図５を用いて説明する。
【００１８】
図４には、定着ヒータ７０３の定着温度制御を行うメイン制御板２０６とＩ／Ｏ制御板２０４と定着ユニットとの接続例が示されている。そして、定着ユニットでは、ＡＣコンセント７００からのＡＣ入力の一方端子が、フィルタ７０１を通してパワーリレー７０２がＯＮしていれば、温度ヒューズ７０６を介して定着ヒータ７０３の一方の端子に接続される。ＡＣコンセント７００のＡＣ入力の他方端子は、定着ヒータトリガを作成するサイリスタ７０４を介して定着ヒータ７０３のもう一方の端子に接続されている。
この回路では、Ｉ／Ｏ制御板２０４内のドライバ７０７およびゲートＩＣ７０８を介してパワーリレー７０２と定着ヒータトリガを作成するサイリスタ７０４がＯＮ状態である時に定着ヒータ７０３に通電される。また、定着ユニットには、定着温度を検知するための温度検出手段としてのサーミスタ７０５が装着されており、メイン制御板２０６のＭＰＵ（第１電源制御手段）２００によって定着温度の監視が行われている。メイン制御板２０６の内部構成は、定着制御を行うためのＭＰＵ２００があり、サーミスタ７０５と抵抗７１１によって定着温度を電圧に変換したものがＭＰＵ２００のアナログ入力に接続されている。
【００１９】
また、その電圧変換された出力は、温度異常監視用回路７０９にも接続されている。この温度異常監視用回路７０９の出力とＩ／Ｏポート７１０の出力状態によって定着ヒータ７０３の定着温度制御を行うことが可能となる。
また、この温度異常監視用回路７０９からの出力は、ＭＰＵ２００の入力ポートにも接続されており、監視回路の出力状態を監視することが可能となっている。さらに、ＭＰＵ２００の出力ポートにより温度異常監視用回路７０９からの定着ヒータ強制ＯＦＦ信号を解除することができる。（温度異常監視用回路７０９の出力は図２図３では、強制ＯＦＦ状態がＨレベル出力となる）。
また、本実施の形態では、温度異常監視の判断用に温度異常監視用回路７０９に対してゼロクロス信号、あるいはＩ／Ｏポート７１０からの定着ヒータトリガ信号（ゲートＩＣ７０８の出力）が入力される。なお、ここでは、メイン制御板２０６の本発明に関わる部分についてのみ説明している。
【００２０】
図５には、温度異常監視用回路７０９の一例の回路図が示されており、この例では、温度過昇状態の検出用に温度過昇検出手段としてのコンパレータ７５２が使用されている。本実施の形態では、温度過昇状態へ移行するサーミスタ７０５の抵抗値が５３６Ω（２１７〜２２５℃）に設定されている。これらの各々の出力が強制停止状態保持手段としてのＤｔｙｐｅＦ／Ｆ７５１のデータ入力側に接続されており、そのデータをラッチするためのクロック入力としては、ゼロクロス信号、またはＩ／Ｏポート７１０からの定着ヒータトリガ信号のパルスが入力されている。
また、ＤｔｙｐｅＦ／Ｆ７５１の不図示のプリセット端子Ｓには、ＭＰＵ２００のリセット信号が入力され、リセット解除後は、ＤｔｙｐｅＦ／Ｆ７５１の出力は、Ｈレベルとなるため、第２電源制御手段としてのＤｔｙｐｅＦ／Ｆ７５０の出力は、Ｌレベルとなり、パワーリレー７０２がＯＮできる状態となる。通常温度状態である場合は、コンパレータ７５２の出力がＨレベルとなるため、ＤｔｙｐｅＦ／Ｆ７５１に入力されるクロックパルスが有効か無効かに関わらずＤｔｙｐｅＦ／Ｆ７５１の出力はＨレベルのままとなる。
このＤｔｙｐｅＦ／Ｆ７５１からの出力は、ＤｔｙｐｅＦ／Ｆ７５０のリセット（Ｒ）端子に入力されているため、ＭＰＵ２００からのリセット後のＣＬＲ入力により、／Ｑ出力はＬレベルがラッチされることになる。この信号は、パワーリレー７０２の出力を制御するドライバ（負論理ＡＮＤゲート）７０７に接続されており、ＭＰＵ２００からＩ／Ｏポート７１０を介してパワーリレー７０２をＯＮしている場合には、実際にリレーがＯＮされる。
【００２１】
ここで、もし定着ヒータの温度が上昇すると、すなわち、サーミスタ７０５の抵抗値が５３６Ωより小さくなると、コンパレータ７５２の出力はＬレベルとなり、ＤｔｙｐｅＦ／Ｆ７５１にクロックパルスが入力されると、そのクロックの立ち上がりでＤｔｙｐｅＦ／Ｆ７５１の出力がＬレベルに変わる。これにより、ＤｔｙｐｅＦ／Ｆ７５０の出力は、Ｈレベルに変化し、ＭＰＵ２００がパワーリレー７０２をＯＮしようとしていても、強制的にパワーリレー７０２がＯＦＦされることになる。
ＤｔｙｐｅＦ／Ｆ７５０のＣＬＲ端子には、ＭＰＵ２００の出力ポートが接続されており、これによって温度過昇状態を検出し、パワーリレーが強制ＯＦＦ状態であっても強制ＯＦＦ状態を解除することができる。これは、ノイズやオーバーシュート等により正常に制御されているにも係わらず定着ヒータ強制ＯＦＦが働いてしまった時に、ＭＰＵ２００自らが状態の監視（サーミスタ温度の検知等）を行い、異常がなければ強制ＯＦＦ状態を解除することによって通常の複写動作を継続させるためのものである。このため、暴走等によりＭＰＵ２００の動作が正常に行われなくなった場合は、この動作は行われない。
また、コンパレータ７５２の出力に短いパルス幅のノイズがのった場合でも、ＤｔｙｐｅＦ／Ｆ７５１の出力は、クロックの立ち上がりでしか変化しないため、誤って強制ＯＦＦ状態になることがなくなる。
【００２２】
以上説明したように、本実施の形態によれば、定着ヒータの通電制御とスキャナ等を制御するパワー系の電源制御とをメイン制御板２０６のＭＰＵ２００を用いて制御するようにしたため、装置を安価にすることができる。
そして、本実施の形態によれば、定着ヒータ７０３の温度検出は、サーミスタ７０５、およびこれとは別系統の温度異常監視用回路７０９とを用いて二重に監視するようにしたため、一方に異常が発生しても他方で定着ヒータの温度を監視して異常発生を未然に防止することができる。
また、本実施の形態によれば、温度異常監視用回路７０９に入力されるデータをラッチするためのクロック入力として、ハードウェアのパルスであるＡＣ電源のゼロクロス信号や定着ヒータをオンするためのトリガ信号を用いるようにしたため、外部ノイズ等に影響され難く、ソフトウェアが暴走しても誤動作することの無い定着ヒータの温度制御を行うことができる。
【００２３】
【発明の効果】
以上説明したように、請求項１に記載の発明によれば、定着ヒータの温度監視を安価でより確実に行えるようにしたので、定着ヒータの加熱による異常発生を未然に防ぐことができる。
請求項２および請求項３に記載の発明によれば、上記効果に加えて、定着ヒータの温度が異常になった際に定着ヒータのＯＮ／ＯＦＦが繰り返されるのを防止することができるとともに、ポートや専用回路を増設することなく、外来ノイズ等があっても温度監視回路を誤動作させないようにすることができる。
【図面の簡単な説明】
【図１】本実施の形態に係る画像形成装置の全体構成を示す装置断面図である。
【図２】図１の画像形成装置の制御系全体のブロック図である。
【図３】図２の制御系の中のメイン制御板のブロック図である。
【図４】定着ヒータの定着温度制御を行うメイン制御板とＩ／Ｏ制御板と定着ユニットの回路図である。
【図５】定着ヒータの温度異常監視回路の一例を示す回路図である。
【符号の説明】
６４  ヒートローラ（定着ヒータが内蔵されている）
２００  ＭＰＵ（第１電源制御手段）
２０６  メイン制御板
７０３  定着ヒータ
７０５  サーミスタ（温度検出手段）
７０９  温度異常監視用回路
７５０  ＤｔｙｐｅＦ／Ｆ（第２電源制御手段）
７５１  ＤｔｙｐｅＦ／Ｆ（強制オフ状態保持手段）
７５２  コンパレータ（温度過昇検出手段）
【図１】
0003647215.tif 000002
【図２】
0003647215.tif 000003
【図３】
0003647215.tif 000004
【図４】
0003647215.tif 000005
【図５】
0003647215.tif 000006